(57)【要約】【課題】フィルターカバーを、壁面や換気扇の周面を傷付けることなく、簡単に、換気扇に取り付けることができる、換気扇用フィルターカバー、を提供すること。【解決手段】カバー本体２とフィルター３とフィルター保持具４とからなっており、カバー本体２が、上面２５の後縁に、換気扇本体９２と壁面９９との間の隙間１００に挿入される引掛部５を有するとともに、下面２６の内側に、換気扇本体９２の下面９２１に対してカバー本体２を固定するための固定機構６を有しており、カバー本体２が、引掛部５を隙間１００に挿入し、且つ、固定機構６によって、当接部材６１の当接面６１１を下面９２１に圧接させることにより、換気扇本体９２に固定されるようになっていることを特徴としている。【選択図】図１３
2007183009.tif 000002
【特許請求の範囲】
【請求項１】
ファン及びファンを囲む換気扇本体を備え且つ壁面に取り付けられている、換気扇に、該換気扇を覆って着脱自在に取り付けられる、換気扇用フィルターカバーにおいて、
前面に開口部を有し、換気扇全体を覆う、カバー本体と、
カバー本体の上記開口部を塞ぐ、フィルターと、
フィルターをカバー本体に対して保持する、フィルター保持具と、からなっており、
カバー本体が、上面の後縁に、換気扇本体の上部と壁面との間の隙間に挿入される引掛部を有するとともに、下面の内側に、換気扇本体の下面に対してカバー本体を固定するための固定機構を有しており、
固定機構が、換気扇本体の下面に対する当接面を有する当接部材と、当接部材をカバー本体に支持する支持部材と、当接部材の当接面が換気扇本体の下面に圧接するよう支持部材を付勢する付勢部材と、からなっており、
カバー本体が、引掛部を上記隙間に挿入し、且つ、当接面を換気扇本体の下面に圧接させることにより、換気扇本体に固定されるようになっていることを特徴とする換気扇用フィルターカバー。
【請求項２】
固定機構において、当接面が磁石を備えている、請求項１記載の換気扇用フィルターカバー。
【請求項３】
固定機構において、当接部材が、横方向に並んで複数個設けられている、請求項１記載の換気扇用フィルターカバー。
【請求項４】
固定機構において、当接部材が、前後方向に揺動可能に設けられている、請求項１記載の換気扇用フィルターカバー。
【請求項５】
固定機構において、付勢部材が、バネである、請求項１記載の換気扇用フィルターカバー。
【請求項６】
カバー本体が、開口部の下方に、横方向に延びた油溜め用の溝を有しており、
フィルター保持具が、下端部の内側にフィルター引掛リブを有しており、該リブによってフィルターの下端部を引っ掛けた状態で、カバー本体に対してスライドして、フィルター保持具の下縁部先端の挿入リブと共にフィルターの下端部を上記溝に挿入可能となっている、請求項１記載の換気扇用フィルターカバー。
【請求項７】
カバー本体が、開口部の下方に、横方向に延びた油溜め用の溝を有しており、
フィルター保持具が、上縁面部と下縁面部と右縁面部と左縁面部とからなる前面枠体と、前面枠体で囲まれ且つカバー本体の上記開口部に対向する開口部と、を有しており、
フィルター保持具の開口部が、上縁面部の下縁と下縁面部の上縁との間に渡設された複数の縦枠を有しており、
縦枠の下端部と下縁面部の上縁との交差部に、上記溝への油逃がし構造が設けられており、
該油逃がし構造が、縦枠の前縁を下縁面部の上縁の前縁より後方に位置させ、下縁面部の上縁の後縁部を縦枠の両側面に沿って下方に傾斜させ、縦枠の前縁を横断面丸形に形成して、構成されている、請求項１記載の換気扇用フィルターカバー。
【請求項８】
カバー本体の周面が、切欠き可能部分を複数以上の箇所に有しており、
切欠き可能部分が、換気扇からの配線を通すための貫通スペースを形成するために切欠かれる、１個以上の切欠き片、を有している、請求項１記載の換気扇用フィルターカバー。
【請求項９】
フィルター保持具が、フィルター保持具を把持するための把持片、を有している、請求項１記載の換気扇用フィルターカバー。
【発明の詳細な説明】
【技術分野】
【０００１】
本発明は、壁面に取り付けられている換気扇に、該換気扇を覆って着脱自在に取り付けられる、換気扇用フィルターカバー、に関するものである。
【背景技術】
【０００２】
壁面に取り付けられている換気扇に、該換気扇を覆って着脱自在に取り付けられる、換気扇用フィルターカバーは、例えば、特許文献１に示されている。また、特許文献２〜６にも、そのような換気扇用フィルターカバーが示されている。
【特許文献１】特許第３４２６７２５号公報
【特許文献２】特開平１−３１８８３２号公報
【特許文献３】特開平１−３１８８３３号公報
【特許文献４】特開平１−２９１０３３号公報
【特許文献５】特開平６−２２９６０１号公報
【特許文献６】特開平６−３０７６８６号公報
【発明の開示】
【発明が解決しようとする課題】
【０００３】
ところで、特許文献１のカバーでは、係止体１３の爪部１２を、化粧カバーの側面端縁と壁面との間に、付勢して挿入することによって、フィルター部材をカバー本体部に着脱自在に装着するようにしている。そのため、装着する際に、爪部１２が化粧カバーの側面や壁面を引っ掻いて傷付けてしまうという問題があった。また、特許文献２〜６のカバーでは、フィルターの取付作業が比較的面倒であった。
【０００４】
本発明は、フィルターカバーを、壁面や換気扇の周面を傷付けることなく、簡単に、換気扇に取り付けることができる、換気扇用フィルターカバー、を提供することを目的とする。
【課題を解決するための手段】
【０００５】
請求項１記載の発明は、ファン及びファンを囲む換気扇本体を備え且つ壁面に取り付けられている、換気扇に、該換気扇を覆って着脱自在に取り付けられる、換気扇用フィルターカバーにおいて、前面に開口部を有し、換気扇全体を覆う、カバー本体と、カバー本体の上記開口部を塞ぐ、フィルターと、フィルターをカバー本体に対して保持する、フィルター保持具と、からなっており、カバー本体が、上面の後縁に、換気扇本体の上部と壁面との間の隙間に挿入される引掛部を有するとともに、下面の内側に、換気扇本体の下面に対してカバー本体を固定するための固定機構を有しており、固定機構が、換気扇本体の下面に対する当接面を有する当接部材と、当接部材をカバー本体に支持する支持部材と、当接部材の当接面が換気扇本体の下面に圧接するよう支持部材を付勢する付勢部材と、からなっており、カバー本体が、引掛部を上記隙間に挿入し、且つ、当接面を換気扇本体の下面に圧接させることにより、換気扇本体に固定されるようになっていることを特徴としている。
【０００６】
請求項２記載の発明は、請求項１記載の発明において、固定機構において、当接面が磁石を備えているものである。
【０００７】
請求項３記載の発明は、請求項１記載の発明において、固定機構において、当接部材が、横方向に並んで複数個設けられているものである。
【０００８】
請求項４記載の発明は、請求項１記載の発明において、固定機構において、当接部材が、前後方向に揺動可能に設けられているものである。
【０００９】
請求項５記載の発明は、請求項１記載の発明において、固定機構において、付勢部材が、バネであるものである。
【００１０】
請求項６記載の発明は、請求項１記載の発明において、カバー本体が、開口部の下方に、横方向に延びた油溜め用の溝を有しており、フィルター保持具が、下端部の内側にフィルター引掛リブを有しており、該リブによってフィルターの下端部を引っ掛けた状態で、カバー本体に対してスライドして、フィルター保持具の下縁部先端の挿入リブと共にフィルターの下端部を上記溝に挿入可能となっているものである。
【００１１】
請求項７記載の発明は、請求項１記載の発明において、カバー本体が、開口部の下方に、横方向に延びた油溜め用の溝を有しており、フィルター保持具が、上縁面部と下縁面部と右縁面部と左縁面部とからなる前面枠体と、前面枠体で囲まれ且つカバー本体の上記開口部に対向する開口部と、を有しており、フィルター保持具の開口部が、上縁面部の下縁と下縁面部の上縁との間に渡設された複数の縦枠を有しており、縦枠の下端部と下縁面部の上縁との交差部に、上記溝への油逃がし構造が設けられており、該油逃がし構造が、縦枠の前縁を下縁面部の上縁の前縁より後方に位置させ、下縁面部の上縁の後縁部を縦枠の両側面に沿って下方に傾斜させ、縦枠の前縁を横断面丸形に形成して、構成されているものである。
【００１２】
請求項８記載の発明は、請求項１記載の発明において、カバー本体の周面が、切欠き可能部分を複数以上の箇所に有しており、切欠き可能部分が、換気扇からの配線を通すための貫通スペースを形成するために切欠かれる、１個以上の切欠き片、を有しているものである。
【００１３】
請求項９記載の発明は、請求項１記載の発明において、フィルター保持具が、フィルター保持具を把持するための把持片、を有しているものである。
【発明の効果】
【００１４】
請求項１記載の発明によれば、引掛部を換気扇本体と壁面との隙間に挿入するとともに、固定機構によって当接部材の当接面を換気扇本体の下面に圧接させることにより、カバー本体、ひいてはフィルターカバーを、換気扇に取り付けることができる。したがって、フィルターカバーを換気扇に簡単に取り付けることができる。
【００１５】
しかも、当接面を換気扇本体の下面に圧接させることによって、カバー本体の下部を換気扇本体に固定できるので、取り付ける際に換気扇本体の下面や壁面が固定するための部材によって傷付けられるのを、防止できる。
【００１６】
更に、当接面を換気扇本体の下面から引き離すとともに、カバー本体を上方へ浮かせて引掛部を上記隙間から抜くだけで、カバー本体、ひいてはフィルターカバーを、換気扇から取り外すことができるので、フィルターカバーを換気扇から簡単に取り外すことができる。
【００１７】
請求項２記載の発明によれば、当接面を、金属製の換気扇本体の下面に、確実に圧接させることができる。しかも、付勢部材の付勢力が弱まったとしても、当接面を、上記下面に、確実に圧接させることができる。したがって、換気扇本体に対するカバー本体の下部の固定状態の安定性を増大できる。
【００１８】
請求項３記載の発明によれば、カバー本体の下部を、複数箇所で、換気扇本体に対して固定できる。したがって、換気扇本体に対するカバー本体の下部の固定状態の安定性を増大できる。
【００１９】
請求項４記載の発明によれば、当接面の対面方向を任意に変えることができる。したがって、換気扇本体の下面が水平面である場合に限らず、曲面や傾斜面である場合でも、当接面を安定した状態で上記下面に圧接させることができ、したがって、換気扇本体に対するカバー本体の下部の固定状態の安定性を増大できる。
【００２０】
請求項５記載の発明によれば、簡単な構成で支持部材を付勢することができる。
【００２１】
請求項６記載の発明によれば、フィルターの下端部を、引掛リブに引掛けた状態で、油溜め用の溝へ挿入できるので、フィルターの下端部を溝内に確実に配置できる。したがって、フィルターに捕集されてフィルターを垂れ落ちてくる油を、確実に、溝に導くことができる。
【００２２】
しかも、フィルター保持具を、フィルターと共に、カバー本体に対してスライドさせることによって、カバー本体に取り付けることができるので、フィルター保持具及びフィルターをカバー本体に簡単に取り付けることができる。
【００２３】
請求項７記載の発明によれば、フィルター保持具の縦枠に付着して縦枠を垂れ落ちてきた油は、縦枠の下端部の前縁が下縁面部の上縁の前縁より後方に位置しているので、下縁面部の上縁の前縁を越えることなく、すなわち、下縁面部の前面に流れることなく、縦枠の両側へ流れていく。しかも、そのとき、縦枠の下端部の前縁が横断面丸形であるので、油は円滑に縦枠の両側へ流れていく。そして、縦枠の両側へ流れた油は、下縁面部の上縁の後縁部が縦枠の両側面に沿って下方に傾斜しているので、油溜め用の溝に向かって円滑に流れ込んでいく。したがって、油逃がし構造によれば、縦枠に付着して縦枠を垂れ落ちてくる油を、溝に優先的に導くことができ、下縁面部の前面が油で汚れるのを防止できる。
【００２４】
請求項８記載の発明によれば、任意の箇所の切欠き可能部分の任意の切欠き片を切欠くことによって、換気扇の配線を導き出すための貫通スペースを任意の箇所に形成することができる。したがって、換気扇の配線に関わる周囲環境に、適切に対応させることができる。
【００２５】
しかも、換気扇の配線に関わる周囲環境に合わせて必要な箇所の切欠き片を切欠いて貫通スペースを形成するので、不使用の貫通スペースが存在することはなく、それ故、外観が見苦しくなるのを防止できる。
【００２６】
請求項９記載の発明によれば、フィルター保持具をカバー本体に取り付ける際に、把持片を掴んで、フィルター保持具を扱うことができるので、フィルター保持具をカバー本体に簡単に取付けることができる。
【発明を実施するための最良の形態】
【００２７】
図１は、壁面の換気扇に取り付けられる本発明の換気扇用フィルターカバーの分解斜視図である。フィルターカバー１は、カバー本体２と、フィルター３と、フィルター保持具４と、からなっており、これらから組み立てられるものである。換気扇９は、複数枚（ここでは５枚）の羽根９１１を有するファン９１と、ファン９１を囲む換気扇本体９２とで、構成されており、壁面に取り付けられている。
【００２８】
図２はカバー本体２を前側から見た斜視拡大図、図３はカバー本体２の正面拡大図、図４はカバー本体２を裏側から見た斜視拡大図、図５はフィルター保持具４の正面拡大図、図６はフィルター保持具４を裏側から見た斜視拡大図、図７は組み立てられたフィルターカバー１を前側から見た斜視拡大図、図８は図３のＶIII−ＶIII断面図である。
【００２９】
カバー本体２は、前面枠体２０Ａと、前面枠体２０Ａで囲まれた開口部２０Ｂと、前面枠体２０Ａの周縁から後方へ延在している周面枠体２０Ｃと、で構成されている。前面枠体２０Ａは、上縁面部２１と、下縁面部２２と、右縁面部２３と、左縁面部２４と、からなっている。周面枠体２０Ｃは、上面２５と、下面２６と、右面２７と、左面２８と、で構成されている。開口部２０Ｂは、５本の縦枠２０１によって６つに分割されている。縦枠２０１は、上縁面部２１の下縁２１１と下縁面部２２の上縁２２１との間に渡設されている。
【００３０】
前面枠体２０Ａにおいて、下縁面部２２は、上部２２２と下部２２３に区画されており、上縁面部２１と下縁面部２２の上部２２２と右縁面部２３と左縁面部２４とが、下縁面部２２の下部２２３より一段後方へ位置している。そして、下縁面部２２において、上部２２２と下部２２３との境界には、図８に示すように、横方向に延びた油溜め用の溝２２４が形成されている。また、右縁面部２３の右縁及び左縁面部２４の左縁には、それぞれ、縦リブ２３１、２４１が形成されている。
【００３１】
周面枠体２０Ｃにおいては、右縁面部２３に連なる右面２７の前部２７１が、後部２７２より一段内方へ位置しており、左縁面部２４に連なる左面２８の前部２８１が、後部２８２より一段内方へ位置しており、上縁面部２１に連なる上面２５の前部２５１が、後部２５２より一段内方へ位置している。右面２７の前部２７１の下部には、突起２７１１が形成されており、左面２８の前部２８１の下部にも、突起２８１１が形成されている。
【００３２】
また、周面枠体２０Ｃにおいては、後縁の任意の箇所に、切欠き可能部分が形成されている。ここでは、上面２５の３箇所に切欠き可能部分２５８が形成されており、下面２６の２箇所に切欠き可能部分２６８が形成されており、右面２７の２箇所に切欠き可能部分２７８が形成されており、左面２８の２箇所に切欠き可能部分２８８が形成されている。例えば、切欠き可能部分２７８は、図９の（ａ）に拡大して示すように、切欠き線２７８０に沿って連結部２７８２にて切断することによって容易に切欠くことができる４個の切欠き片２７８１が、連なって構成されており、図９の（ｂ）に示すように、任意の切欠き片２７８１を切欠くことができるようになっている。図９の（ｂ）では、上から２番目の切欠き片２７８１が切欠かれており、切欠かれた箇所は、換気扇９の配線を通すための貫通スペース２７８５となる。他の切欠き可能部分も、同様に、切欠き線に沿って容易に切欠くことができる複数の切欠き片が連なって構成されている。
【００３３】
そして、本発明においては、更に、図４に示すように、カバー本体２において、上面２５の後縁の内側の２箇所に、下向きに突出した引掛部５が設けられており、下面２６の内側には、換気扇本体９２の下面９２１に対してカバー本体２を固定するための固定機構６が設けられている。引掛部５は、薄いＬ字形の金属板でできている。固定機構６の詳細は後述する。
【００３４】
フィルター３は、例えば、平板状の不織布である。
【００３５】
フィルター保持具４は、前面枠体４０Ａと、前面枠体４０Ａで囲まれた開口部４０Ｂと、前面枠体４０Ａの周縁の一部から後方へ延在している周辺枠部４０Ｃと、で構成されている。前面枠体４０Ａは、上縁面部４１と、下縁面部４２と、右縁面部４３と、左縁面部４４と、からなっている。周面枠部４０Ｃは、前面枠体４０Ａの、上縁面部４１、右縁面部４３、及び左縁面部４４の、周縁から後方へ延在しており、上面４５と、右面４７と、左面４８と、で構成されており、下面は無い。開口部４０Ｂは、４本の縦枠４０１によって５つに分割されている。縦枠４０１は、上縁面部４１の下縁４１１と下縁面部４２の上縁４２１との間に渡設されている。縦枠４０１は、フィルター保持具４をカバー本体２に取り付けた際に、カバー本体２における隣接する縦枠２０１（図５において一点鎖線で示す）の間に位置するよう配置されている。
【００３６】
前面枠体４０Ａにおいて、下縁面部４２の下縁４２２の内側には、下向きに突出した挿入リブ４２３が設けられている。また、下縁面部４２の内側には、後方に突出し且つ横方向に延びた引掛リブ４２４が設けられている。引掛リブ４２４の先端は、ギザギザ状に形成されている。右面４７及び左面４８は、フィルター保持具４を保持するための、外方向に突出した、把持片４７１、４８１、が設けられている。
【００３７】
周面枠部４０Ｃにおいて、右面４７の内面の下部には、カバー本体２の右面２７の突起２７１１が嵌合する凹部４７２が形成されており、左面４８の内面の下部にも、同様に、カバー本体２の左面２８の突起２８１１が嵌合する凹部４８２が形成されている。
【００３８】
そして、本発明においては、更に、フィルター保持具４において、全ての縦枠４０１の下端部４０１１と下縁面部４２の上縁４２１との交差部に、溝２２４への油逃がし構造７が形成されている。油逃がし構造７の詳細は後述する。
【００３９】
固定機構６は、図４及び図１０に示すように、換気扇本体９２の下面９２１に対する当接面６１１を有する当接部材６１と、当接部材６１をカバー本体２に支持する支持部材６２と、当接部材６１の当接面６１１が換気扇本体９２の下面９２１に圧接するよう支持部材６２を付勢する付勢部材６３と、からなっている。当接部材６１は、横方向に並んで２個設けられている。支持部材６２は、カバー本体２の下縁面部２２の内面の突起部６４に形成された横軸６４１を支点として、上下方向に回動可能に、設けられている。支持部材６２は、当接部材６１を前後方向（矢印Ａ方向）に揺動自在に支持する支持アーム６２１と、支持アーム６２１を支持するとともに横軸６４１に回動可能に設けられている支持板６２２と、支持板６２２の下面から下方に延びている２本のレバー６２３と、からなっている。２本のレバー６２３は、それぞれ、カバー本体２の下面２６の貫通孔２６５を通って下方に延びている。２本のレバー６２３の先端には、持ち手６２３１が渡設されている。貫通孔２６５は、前後方向に延びた長孔であり、レバー６２３は、貫通孔２６５内を前後に移動可能となっている。
【００４０】
固定機構６において、付勢部材６３は、バネであり、横軸６４１に巻き付けられており、一端がカバー本体２の下縁面部２２の内面に当接し、他端が支持板６２２に当接しており、これにより、支持部材６２を矢印Ｂ方向に付勢している。当接部材６１は、当接面６１１に磁石（図示せず）を備えている。
【００４１】
油逃がし構造７では、図１１に示すように、縦枠４０１の下端部４０１１の前縁４０１２が、下縁面４２の上縁４２１の前縁４２１１より後方に位置しており、上縁４２１の後縁部４２１２が縦枠４０１の両側面４０１３に沿って下方に傾斜しており、縦枠４０１の下端部４０１１の前縁４０１２が横断面丸形となっている。
【００４２】
上記構成のフィルターカバー１は、次のように組み立てる。すなわち、まず、フィルター保持具４の後面に、開口部４０Ｂを塞ぐように、フィルター３を当てる。このとき、フィルター３の下端部３１は、引掛リブ４２４の先端に押し付ける。これにより、フィルター３は、フィルター保持具４の後面に引っ掛かった状態となる。次に、把持片４７１、４８１を掴んで、フィルター保持具４を、フィルター３と共に、カバー本体２の開口部２０Ｂを覆うように、カバー本体２の前面に当てる。このとき、フィルター保持具４の右面４７及び左面４８の内面は、それぞれ、カバー本体２の右面２７及び左面２８の前部２７１、２８１の外面に、当接する。そして、フィルター保持具４をフィルター３と共に、図１２に示すように、カバー本体２に対して下方（矢印Ｃ方向）へスライドさせる。これにより、フィルター３の下端部３１が、挿入リブ４２３と共に、溝２２４内に挿入され、また、フィルター保持具４の右面４７の凹部４７２に、カバー本体２の右面２７の突起２７１１が嵌合するとともに、左面４８の凹部４８２に、カバー本体２の左面２８の突起２８１１が嵌合する。こうして、カバー本体２の開口部２０Ｂが、フィルター３によって塞がれて、図７の状態の、すなわち、組み立てられた状態の、フィルターカバー１が、得られる。なお、図７のフィルターカバー１において、フィルター保持具４の、上面４５、右面４７、及び左面４８は、それぞれ、カバー本体２の、上面２５の後部２５２、右面２７の後部２７２、及び左面２８の後部２８２と、同一面となっており、また、フィルター保持具４の下縁面部４２は、カバー本体２の下縁面部２２の下部２２３と、同一面となっている。
【００４３】
次に、組み立てられたフィルターカバー１は、次のようにして換気扇９に取り付ける。すなわち、まず、図１３に示すように、固定機構６のレバー６２３を前方へ移動させた状態で、カバー本体２の周辺枠体２０Ｃが換気扇本体９２を囲むように、フィルターカバー１を換気扇９に被せ、その後に、カバー本体２の上面２５の引掛部５を、換気扇本体９２の上部と壁面９９との間の隙間１００に差し込む。そして、カバー本体２の下面２６を換気扇本体９２の下面９２１に対向させた後、図１４に示すように、レバー６２３を後方へ戻しながら、当接部材６１の当接面６１１を換気扇本体９２の下面９２１に圧接させる。これにより、フィルターカバー１は、カバー本体２が、上部においては、引掛部５によって換気扇本体９２に引っ掛かり、下部においては、固定機構６によって換気扇本体９２に固定されるので、換気扇９に安定して取り付けられた状態となる。
【００４４】
なお、上記取付方法では、組み立てられたフィルターカバー１を換気扇９に取り付けているが、カバー本体２のみを換気扇９に取り付けた後に、フィルター保持具４及びフィルター３をカバー本体２に取り付けてもよい。
【００４５】
上記構成のフィルターカバー１によれば、次のような作用効果を発揮できる。
（１）カバー本体２を次のようにして換気扇本体９２に固定できる。すなわち、引掛部５を隙間１００に挿入するとともに、固定機構６によって当接部材６１の当接面６１１を換気扇本体９２の下面９２１に圧接させる。これにより、フィルターカバー１は、換気扇９に取り付けられる。したがって、フィルターカバー１を換気扇９に簡単に取り付けることができる。
【００４６】
しかも、カバー本体２の下部は、当接面６１１を換気扇本体９２の下面９２１に圧接させることによって、換気扇本体９２に固定できるので、取り付ける際に換気扇本体９２の下面９２１や壁面９９が固定するための部材によって傷付けられるのを、防止できる。
【００４７】
更に、レバー６２３を前方へ移動させて、当接面６１１を換気扇本体９２の下面９２１から引き離すとともに、カバー本体２を上方へ浮かせて引掛部５を隙間１００から抜くだけで、カバー本体２を換気扇本体９２から取り外すことができるので、フィルターカバー１を換気扇９から簡単に取り外すことができる。
【００４８】
（２）当接面６１１が磁石を備えているので、当接面６１１を、金属製の換気扇本体９２の下面９２１に、確実に圧接させることができる。しかも、付勢部材６３の付勢力が弱まったとしても、当接面６１１を、下面９２１に、確実に圧接させることができる。したがって、換気扇本体９２に対するカバー本体２の下部の固定状態の安定性を増大できる。
【００４９】
（３）当接部材６１が横方向に並んで２個設けられているので、カバー本体２を、２箇所で、換気扇本体９２に対して固定できる。したがって、換気扇本体９２に対するカバー本体２の下部の固定状態の安定性を増大できる。
【００５０】
（４）当接部材６１が矢印Ａ方向に揺動自在であるので、当接面６１１の対面方向を前後方向に任意に変えることができる。したがって、換気扇本体９２の下面９２１が水平面である場合に限らず、曲面や傾斜面である場合でも、当接面６１１を安定した状態で下面９２１に圧接させることができ、したがって、換気扇本体９２に対するカバー本体２の下部の固定状態の安定性を増大できる。
【００５１】
（５）付勢部材６３がバネであるので、簡単な構成で支持部材６２を付勢することができる。
【００５２】
（６）図１２に示すように、フィルター３の下端部３１を、引掛リブ４２４に引掛けた状態で、溝２２４へ挿入できるので、フィルター３の下端部３１を溝２２４内に確実に配置できる。したがって、フィルター３に捕集されてフィルター３を垂れ落ちてくる油を、確実に、溝２２４に導くことができる。
【００５３】
しかも、フィルター保持具４を、フィルター３と共に、カバー本体２に対してスライドさせることによって、カバー本体２に取り付けることができるので、フィルター保持具４及びフィルター３をカバー本体２に簡単に取り付けることができる。
【００５４】
更に、フィルター保持具４をカバー本体２に取り付けた際に、カバー本体２の右面２７の突起２７１１がフィルター保持具４の右面４７の凹部４７２に嵌合し、左面２８の突起２８１１が左面４８の凹部４８２に嵌合するので、カバー本体２に対するフィルター保持具４の取付状態の安定性を増大できる。
【００５５】
（７）油逃がし構造７において、フィルター保持具４の縦枠４０１に付着して縦枠４０１を垂れ落ちてきた油は、縦枠４０１の下端部４０１１の前縁４０１２が下縁面部４２の上縁４２１の前縁４２１１より後方に位置しているので、前縁４２１１を越えることなく、すなわち、下縁面部４２の前面に流れることなく、縦枠４０１の両側へ流れていく。しかも、そのとき、縦枠４０１の下端部４０１１の前縁４０１２が横断面丸形であるので、油は円滑に縦枠４０１の両側へ流れていく。そして、縦枠４０１の両側へ流れた油は、上縁４２１の後縁部４２１２が縦枠４０１の両側面４０１３に沿って下方に傾斜しているので、溝２２４に向かって円滑に流れ込んでいく。したがって、油逃がし構造７によれば、縦枠４０１に付着して縦枠４０１を垂れ落ちてくる油を、溝２２４に優先的に導くことができ、下縁面部４２の前面が油で汚れるのを防止できる。
【００５６】
（８）カバー本体２の周辺枠体２０Ｃの任意の箇所の切欠き可能部分の任意の切欠き片を切欠くことによって、換気扇９の配線を導き出すための貫通スペースを任意の箇所に形成することができる。したがって、換気扇９の配線に関わる周囲環境に、適切に対応させることができる。
【００５７】
しかも、カバー本体２の所定箇所に予め配線導出用の貫通孔を形成した場合であって、換気扇９の配線に関わる周囲環境が異なるために、その貫通孔を使用しないという場合においては、不使用の貫通孔があるためにフィルターカバー１の外観が見苦しいものとなる。しかしながら、上記構成のフィルターカバー１によれば、換気扇９の配線に関わる周囲環境に合わせて必要な箇所の切欠き片を切欠いて貫通スペースを形成するので、不使用の貫通スペースが存在することはなく、それ故、外観が見苦しくなるのを防止できる。
【００５８】
（９）フィルター保持具４をカバー本体２に取り付ける際に、把持片４３１、４４１を掴んで、フィルター保持具４を扱うことができるので、フィルター保持具４をカバー本体２に簡単に取付けることができる。
【００５９】
なお、次のような変形構造を採用できる。
（ａ）引掛部５を、カバー本体２の上面２５の３箇所以上に設けてもよい。これによれば、カバー本体２の上部の固定状態の安定性を更に増大できる。
【００６０】
（ｂ）当接部材６１の当接面６１１に磁石を設けることは、必ずしも必須ではない。また、当接面６１１を弾性材料で構成してもよい。これによれば、当接面６１１と換気扇本体９２の下面９２１との密着性を向上でき、カバー本体２の上部の固定状態の安定性を更に増大できる。
【００６１】
（ｃ）上記の当接部材６１を３個以上並べて設けてもよい。これによれば、カバー本体２の下部の固定状態の安定性を更に増大できる。
【００６２】
（ｄ）当接部材６１を横方向に長い１個又は複数個の部材で構成してもよい。これによれば、カバー本体２の下部の固定状態の安定性を更に増大できる。
【００６３】
（ｅ）カバー本体２の縦枠２０１の本数及びフィルター保持具４の縦枠４０１の本数は、上記実施形態の本数に限らず、任意である。例えば、縦枠２０１を４本、縦枠４０１を３本としてもよい。但し、組立後のフィルターカバー１において、縦枠２０１と縦枠４０１とが、図５に示すように、交互の配置となる本数が好ましい。これによれば、組立後のフィルターカバー１において、フィルター３が効果的に前後から支持されるので、フィルター３の安定性を増大できる。
【００６４】
（ｆ）切欠き可能部分は、上記実施形態で設けた箇所に限るものではなく、また、上記実施形態より多くても少なくてもよい。また、切欠き可能部分を構成する切欠き片は、上記実施形態より多くても少なくてもよく、１個でもよい。
【産業上の利用可能性】
【００６５】
本発明の換気扇用フィルターカバーは、壁面や換気扇の周面を傷付けることなく、簡単に、換気扇に取り付けることができるので、産業上の利用価値が大である。
【図面の簡単な説明】
【００６６】
【図１】壁面の換気扇に取り付けられる本発明の換気扇用フィルターカバーの分解斜視図である。
【図２】カバー本体を前側から見た斜視拡大図である。
【図３】カバー本体の正面拡大図である。
【図４】カバー本体を裏側から見た斜視拡大図である。
【図５】フィルター保持具の正面拡大図である。
【図６】フィルター保持具を裏側から見た斜視拡大図である。
【図７】組み立てられたフィルターカバーを前側から見た斜視拡大図である。
【図８】図３のＶIII−ＶIII断面図である。
【図９】切欠き可能部分の拡大図であり、（ａ）は未使用状態、（ｂ）は使用状態を示す。
【図１０】固定機構の斜視拡大図である。
【図１１】油逃がし構造の斜視拡大断面図である。
【図１２】フィルター保持具によりフィルターをカバー本体へ取り付ける作業の一工程を示す断面図であり、図８に相当する図である。
【図１３】フィルターカバーを壁面の換気扇に取り付ける作業の一工程を示す断面図である。
【図１４】フィルターカバーを壁面の換気扇に取り付けた後の固定機構の状態を示す拡大断面図である。
【符号の説明】
【００６７】
１  フィルターカバー  ２  カバー本体  ２２４  （油溜め用）溝  ２５  上面  ２６  下面  ２５８、２６８、２７８、２８８  切欠き可能部分  ２７８１  切欠き片  ２０Ｂ  開口部  ３  フィルター  ３１  下端部  ４  フィルター保持具  ４０１  縦枠  ４０１１  下端部  ４０１２  前縁  ４０１３  側面  ４０Ａ  前面枠体  ４１  上縁面部  ４１１  下縁  ４２  下縁面部  ４２１  上縁  ４２１１  前縁  ４２１２  後縁部  ４２３  挿入リブ  ４２４  引掛リブ  ４３  右縁面部  ４４  左縁面部  ４７１、４８１  把持片  ４０Ｂ  開口部  ５  引掛部  ６  固定機構  ６１  当接部材  ６１１  当接面  ６２  支持部材  ６３  付勢部材  ７  油逃がし構造  ９  換気扇  ９１  ファン  ９２  換気扇本体  ９２１  下面  ９９  壁面  １００  隙間
【図１】
2007183009.tif 000003
【図２】
2007183009.tif 000004
【図３】
2007183009.tif 000005
【図４】
2007183009.tif 000006
【図５】
2007183009.tif 000007
【図６】
2007183009.tif 000008
【図７】
2007183009.tif 000009
【図８】
2007183009.tif 000010
【図９】
2007183009.tif 000011
【図１０】
2007183009.tif 000012
【図１１】
2007183009.tif 000013
【図１２】
2007183009.tif 000014
【図１３】
2007183009.tif 000015
【図１４】
2007183009.tif 000016